(57)【要約】      （修正有）【課題】排泄物収納袋として汎用の袋を使用可能であり、確実に排泄物を収納でき、排泄物の重みで袋が脱着することがなく、組立て、携帯及び保管が容易な組立て式簡易トイレを提供する。【解決手段】本組立て式簡易トイレ１は、便座１１と、脚部１２と、排泄物収納袋１３と、便吸収材１４とからなる。脚部１２を開けば脚部ストッパー１２４の効果により、排泄物収納袋保持部材１２３が第一脚部材１２１の横パイプ１２１ｂ及び第一脚部材１２２の横パイプ１２２ｂに架け渡たされて垂れ下った状態となる。排泄物収納袋は底部がこの排泄物収納袋保持部材に接触するようにして、排泄物収納袋の上部口縁部を折りたたんで脚部を覆うように装着する。この袋に便吸収材１４を入れた後、便座１１を脚部に載置する。【選択図】図１
0003155979.tif 000002
【実用新案登録請求の範囲】
【請求項１】
組立て式簡易トイレであって、該組立て式簡易トイレは、便落下用の貫通穴と下面に位置固定部材を備える板状の便座と、脚部と、排泄物収納袋と、便吸収材とからなり、
上記便座は、上記位置固定部材が上記脚部の縦パイプと上部横パイプの外側に配置される状態に載置され、
上記脚部は第一脚部材と第二脚部材を備え、該第一脚部材と該第二脚部材は２本の縦パイプと上部横パイプと下部横パイプからなる矩形状であって、上記第一脚部材の縦パイプと上記第二脚部材の縦パイプとを交差させて、該両縦パイプの中央のやや上部に回動軸を設けて、上記第一脚部材と上記第二脚部材は上記回動軸を中心に開閉可能とし、
上記第一脚部材の上部横パイプ及び上記第二脚部材の上部横パイプに、上記排泄物収納袋を保持するための排泄物収納袋保持部材を架け渡して懸装し、
上記第一脚部材の下部横パイプと上記第二脚部材の下部横パイプに、上記脚部の開度を制限するための脚部ストッパーを架け渡して設け、
上記排泄物収納袋は底部が上記排泄物収納袋保持部材に接して保持され、上端部は折り返して上記脚部全体を覆う状態に装着され、
上記便吸収材は上記排泄物収納袋の底部内部に収納されたことを特徴とする組立て式簡易トイレ。
【請求項２】
上記排泄物収納袋保持部材は、矩形状の柔軟性のあるシート状材料の１方の端部を上記第一脚部材の上部横パイプに巻着し、他方の端部を上記第二脚部材の上部横パイプに巻着したものである請求項１に記載の組立て式簡易トイレ。
【請求項３】
上記脚部ストッパーは、矩形状の柔軟性のあるシート状材料の１方の端部を上記第一脚部材の下部横パイプに巻着し、他方の端部を上記第二脚部材の下部横パイプに巻着したものである請求項１又は請求項２に記載の組立て式簡易トイレ。
【考案の詳細な説明】
【技術分野】
【０００１】
本願考案は、組立て式の簡易トイレに関する。詳しくは排泄物収納袋として汎用の袋を使用可能であり、確実に排泄物を収納でき、排泄物の重みで袋が脱着することがなく、組立て、携帯及び保管が容易な組立て式簡易トイレに関する。
【背景技術】
【０００２】
組立て式簡易トイレは、たとえば、登録実用新案第３０１６８９５号公報（特許文献１）に記載されている。この公報に記載された携帯用簡易トイレは、折り畳み可能な脚部と、脚部に載置し内部中央に排泄物落口を有する洋式便座と、排泄物落口に開口し、脚部上部、あるいは洋式便座下部に着脱可能に装着した使い捨て汚物袋とからなる。
【０００３】
また、特開２００７−２８９３２７号公報（特許文献２）には、排泄物を収納するために汎用の袋を装着することができ、素早く組立てることができるとともに、収納袋を取り付けた状態のままで、脚部材を折り畳むことが可能で、排便するために人が安定して座ることができ、感触が良好な便座部を備えた携帯用簡易トイレが開示されている。
【特許文献１】登録実用新案第３０１６８９５号公報
【特許文献２】特開２００７−２８９３２７号公報
【考案の開示】
【考案が解決しようとする課題】
【０００４】
しかし、登録実用新案第３０１６８９５号公報（特許文献１）に記載された携帯用簡易トイレは、専用の汚物袋が必要である。汎用の袋（たとえば、各自治体の指定のゴミ袋、一般家庭用収納用樹脂袋等）を使用した場合は袋の開口部の形状が一定形状にならず落下汚物を必ずしも完全に収納できないきらいがある。また、汚物袋は使用後においてはぶら下がった状態であり、使用者が便座を離れた場合、又は使用後の汚物袋を処理するために便座を外した場合に汚物の量によってはその重みで汚物袋が外れるおそれもある。
【０００５】
また、特開２００７−２８９３２７号公報（特許文献２）に記載された携帯用簡易トイレは、汎用の袋が使用でき、折り畳みは簡単である。しかし、大きすぎるために携帯及び保管に不便である。
【０００６】
そこで、本願考案は排泄物収納袋として汎用の袋を使用可能であり、確実に排泄物を収納でき、汚物の重みで袋が脱着することがない組立て、携帯及び保管が容易な組立て式簡易トイレを提供する。本願考案は、病院、介護、車の渋滞等に利用することができる。
【課題を解決するための手段】
【０００７】
本願組立て式簡易トイレは、便落下用の貫通穴と便座の位置固定部材を備える便座と、脚部と、排泄物収納袋と、便吸収材とからなり、この排泄物収納袋は汎用のゴミ袋等が使用可能であり、この袋の上部口縁部を折り返して、脚部全体を覆うように装着する。脚部には排泄物収納袋を保持するための排泄物収納袋保持部材を脚部の２本の横パイプに垂れ下がった状態で架け渡して設けられているために、使用後の排泄物収納袋が脚部からぶら下がった状態になることがない。従って、使用者が排便を済ませて便座から離れた場合にも排泄物を収納した排泄物収納袋が脚部から脱着することがない。よって、便座と脚部の間に排泄物収納袋の挟持機構は特に必要がなく簡易な構造となっている。
【０００８】
また、脚部の開度を一定にするストッパーが設けられているために、脚部を脚部ストッパーで制限されるまで開にした際には、この排泄物収納袋保持部材が垂れ下がった状態になる。このため、単に排泄物収納袋の底が排泄物収納袋保持部材に接触するように、排泄物収納袋の上部口縁部を折りまげて脚部全体を覆うように装着すれば排泄物収納袋が脱着することはない。
【０００９】
即ち、本願考案は下記のとおりである。便落下用の貫通穴と下面に位置固定部材を備える板状の便座と、脚部と、排泄物収納袋と、便吸収材とからなり、
上記便座は、上記位置固定部材が上記脚部の縦パイプと上部横パイプの外側に配置される状態に載置され、
上記脚部は第一脚部材と第二脚部材を備え、該第一脚部材と該第二脚部材は２本の縦パイプと上部横パイプと下部横パイプからなる矩形状であって、上記第一脚部材の縦パイプと上記第二脚部材の縦パイプとを交差させて、該両縦パイプの中央のやや上部に回動軸を設けて、上記第一脚部材と上記第二脚部材は上記回動軸を中心に開閉可能とし、
上記第一脚部材の上部横パイプ及び上記第二脚部材の上部横パイプに、上記排泄物収納袋を保持するための排泄物収納袋保持部材を架け渡して懸装し、
上記第一脚部材の下部横パイプと上記第二脚部材の下部横パイプに、上記脚部の開度を制限するための脚部ストッパーを架け渡して設け、
上記排泄物収納袋は底部が上記排泄物収納袋保持部材に接して保持され、上端部は折り返して上記脚部全体を覆う状態に装着され、
上記便吸収材は上記排泄物収納袋の底部内部に収納されたことを特徴とする組立て式簡易トイレ。
【００１０】
上記排泄物収納袋保持部材は、矩形状の柔軟性のあるシート状材料の１方の端部を上記第一脚部材の上部横パイプに巻着し、他方の端部を上記第二脚部材の上部横パイプに巻着したものである組立て式簡易トイレ。
【００１１】
上記脚部ストッパーは、矩形状の柔軟性のあるシート状材料の１方の端部を上記第一脚部材の下部横パイプに巻着し、他方の端部を上記第二脚部材の下部横パイプに巻着したものである組立て式簡易トイレ。
【考案の効果】
【００１２】
本願考案の組立て式簡易トイレは、脚部に排泄物収納袋保持部材が設けられているために排泄物を収納するために汎用の袋を用いて装着することができるとともに、使用前に素早く組立てることができる。又、使用者が排便後に便座を離れた場合にも、排泄物収納袋が排泄物収納袋保持部材で保持されているために、脚部から脱着することがないばかりか、使用後の排泄物収納袋を処理するために便座を脚部から取外した場合も排泄物収納袋が脚部から脱着することがない。
【００１３】
また、排泄物収納袋保持部材は、矩形状の柔軟性のあるシート状材料の１方の端部を第一脚部材の上部横パイプに巻着し、他方の端部を第二脚部材の上部横パイプに巻着したものであるため、脚部に取付けが容易であり、本願考案の組立て式簡易トイレは、安価に作製できる。
更に、脚部ストッパーは、矩形状の柔軟性のある布状材料の１方の端部を第一脚部材の下部横パイプに巻着し、他方の端部を第二脚部材の下部横パイプに巻着したものであるため、脚部に取付けが容易であり、本願考案の組立て式簡易トイレは、安価に作製できる。
【考案を実施するための最良の形態】
【００１４】
以下本願考案を実施するための最良の形態を図に基づいて説明する。以下の図において共通する部材には共通の符号（数字）を付している。図１は本願考案の組立て式簡易トイレ１の分解組立て説明図である。本願考案は便落下用の貫通穴１１１と下面に便座の位置固定部材１１２を備える板状の便座１１と、脚部１２と、排泄物収納袋１３と、便吸収材１４とからなる。この便座１１は、上記位置固定部材１１２が上記脚部の縦パイプ１２１ａ、１２１ｂと上部横パイプ１２１ｂ、１２２ｂの外側に配置される状態に載置される（図４及び図５参照）。
【００１５】
この脚部１２は第一脚部材１２１と第二脚部材１２２からなり、第一脚部材１２１と第二脚部材１２２は２本の縦パイプ１２１ａ、１２２ａと上部横パイプ１２１ｂ、１２２ｂと下部横パイプ１２１ｃ、１２２ｃからなる矩形状であって、第一脚部材１２１の縦パイプ１２１ａと第二脚部材１２２の縦パイプ１２２ａとを交差させて、両縦パイプの中央のやや上部に回動軸１２５を設けて、脚部１２は回動軸１２５を中心に開閉可能としている。
【００１６】
第一脚部材１２１の上部横パイプ１２１ｂ及び第二脚部材１２２の上部横パイプ１２２ｂに、上記排泄物収納袋１３を保持するための排泄物収納袋保持部材１２３を架け渡して懸装する。架け渡して懸装するとは図１に示すように垂れ下がった状態で架け渡して設けることをいう。又、第一脚部材１２１の下部横パイプ１２１ｃと第二脚部材１２２の下部横パイプ１２２ｃに、第一脚部材１２１と第二脚部材１２２で構成する脚部の開度を制限するための脚部ストッパー１２４が架け渡して設けられている。
【００１７】
排泄物収納袋１３は底部が上記排泄物収納袋保持部材１２４に接して保持されるようにして、この排泄物収納袋１３の上端部は折り返して脚部全体を覆う状態に装着される。又、便吸収材１４は排泄物収納袋１３の底部内部に収納される。
図２は、上述の分解組立て図に基づいて組み立てが完了した本願組立て式簡易トイレ１の斜視図である。
【００１８】
上記便座部１１の材質は特に限定されないが、通常は樹脂または木を使用する。安価で作製が容易なためであるとともに軽量であるため携帯に便利だからである。形状も特に限定はないが使用が容易となるためには、図１、２、３に示すように板状であって平面視やや細長の亀甲形状で角部にアールを設けたものが好ましい。この便座１１の備える便落下用の貫通穴１１１の形状および大きさも特に限定はないが、形状は好ましくは長円形状であって、大きさは好ましくは和式トイレの便座の開口部と略同一とする。この形状及び大きさは習慣上長く使用されてきたものだからである。
【００１９】
図３は本願組立て式簡易トイレの平面図である。図４は図３に係るＡ−Ａ断面図、図５はＢ−Ｂ断面図である。これら図４及び図５が示すように、この便座の下面に設ける位置固定部材１１２は、使用中にこの便座１１が移動しないためのものであり、脚部１２にこの便座１１を載置した際に、脚部１２を構成する第一脚部材および第二脚部材の外側に位置するように取り付ける。
図７は便座の背面図である。便座１１の縦移動および横移動を防止するために通常は４個設ける。この位置固定部材１１２の形状および材質は特に限定されないが、この図に示すようにアングル鋼材をビス１１２ｂで固定するものが簡易である。            
【００２０】
脚部１２は、第一脚部材１２１と第二脚部材１２２を備える。これらの両脚部材はパイプで作製される。このパイプの材質は特に限定はないが、通常は樹脂または金属を用いる。
これらの脚部材はともに正面視で矩形状である。第一脚部材１２１及び第二脚部材１２２を矩形状に作製したあとに第一脚部材１２１の縦パイプ１２１ａと第二脚部材１２２の縦パイプ１２２ａを交差させて、この交差点に回動軸１２５を設ける。この際、第一脚部材１２１の上部横パイプ１２１ｂ及び下部横パイプ１２１ｃを第二脚部１２２の横パイプより短くして作製して、第一脚部材１２１を第二脚部材１２２に挿入して、その後第一脚部材１２１の縦パイプ１２１ａと第二脚部材１２２の縦パイプ１２２ａを交差させて、次いで回動軸１２５を設ける。
【００２１】
また、第一脚部材１２１及び第二脚部材１２２の各々の同一サイズの横パイプ、縦パイプを用いてこの脚部１２を作成することもできる。この際、縦パイプを交差させた後に（パイプが金属である場合には）溶接等で第一脚部材１２１及び第二脚部材１２２を組立てる。また、パイプの材質が樹脂である場合は継ぎ手等を用いて組み立てることができる。
【００２２】
回動軸１２５としてはボルトナットを使用することもでき、金属棒を回動軸用貫通孔に挿入した後に両端を潰して用いることもできる（図４参照）。この回動軸１２５は縦パイプの中央よりもやや上部に設ける。脚部１２の床に接する部分が大きくなってこの組立て式簡易トイレを使用する場合に、安定して使用できるためである。
【００２３】
脚部１２を構成する第一脚部材１２１の上部横パイプ１２１ｂと第二脚部材１２２の上部横パイプ１２２ｂに、排泄物収納袋１３を保持するための排泄物収納袋保持部材１２３を垂れ下がった状態で架け渡して設ける。垂れ下がった状態とは図１及び図５に示す状態である。この排泄物収納袋保持部材１２３は、排泄物収納袋１３を保持するものである。使用者が排便したときに、排便の重量をこの排泄物収納袋保持部材１２３で支える。従って、不用意に便座１２を取り外した場合、又は排泄物収納袋１３を処理するために便座１２を取り外した場合であっても、排泄物収納袋１３が排便の重量で脚部１２から脱着することはない。
【００２４】
この排泄物収納袋保持部材１２３は、上述の機能を有すればどのようなものであっても特に制限はないが、矩形状の柔軟性のあるシート状材料であることが好ましい。矩形状の柔軟性のあるシート状材料を使用すれば、図４及び図５に示すように１方の端部を上記第一脚部材１２１ｂの上部横パイプに巻着し、他方の端部を上記第二脚部材の上部横パイプ１２２ｂに巻着することができる。巻着するとは図４及び図５に示す装着方法をいう。シート状材料とは布、樹脂シート等をいい、好ましくは布に撥水性の樹脂をコーティングする。水洗い等でこの排泄物収納袋保持部材１２３を清潔に保ちやすいためである。このシート状材料を使用すると脚部を後述の脚部ストッパー１２５で開度が制限されるまで開いた際に、この排泄物収納袋保持部材１２３は、排泄物収納袋を保持するための最良の状態になる。
【００２５】
脚部１２を構成する第一脚部材１２１の下部横パイプ１２１ｃと第二脚部材１２２の下部横パイプ１２２ｃに、脚部の開度を制限するための脚部ストッパー１２４を設ける。このストッパー１２４は脚部１２の開度が制限できればどのようなものであってもよい。好ましくは脚部ストッパー１２４は、矩形状の柔軟性のあるシート状材料の１方の端部を上記第一脚部材の下部横パイプ１２１ｃに巻着し、他方の端部を上記第二脚部材１２２ｃの下部横パイプに図５に示すように巻着したものである。シート状材料は上述の排泄物収納袋保持部材１２３に使用するものがそのまま適用できる。
図６は脚部１２の折りたたみ説明図である。
【００２６】
排泄物収納袋１３は、樹脂製の袋を使用する。この樹脂製の袋は特に限定されない。市販のゴミ袋等をそのまま使用できる。従って、専用の袋を使用しないため安価にすることができる。図４及び図５に示すように、この排泄物収納袋１３は底部が上述の排泄物収納袋保持部材１２３に接触させて装着し、更に排泄物収納袋１３の上部口縁部は折り返して、折り返した部分が脚部１２の全体を覆うように装着する。特に袋の支持機構は必要ない。
【００２７】
便吸収材１４は、市販の液体吸収材を使用することができる。この便吸収材１４には液体凝固剤及び脱臭剤を併用して使用することが好ましい。市販の液体吸収材の例としては、紙おむつ等で使用する液体吸収材を挙げることができる。
【図面の簡単な説明】
【００２８】
【図１】本願組立て式簡易トイレの分解組立て説明図である。
【図２】本願組立て式簡易トイレの斜視図である。
【図３】本願組立て式簡易トイレの平面図である。
【図４】図３に係るＡ−Ａ断面図である。
【図５】図３に係るＢ−Ｂ断面図である。
【図６】脚部の折りたたみ説明図である。
【図７】便座の背面図である。
【符号の説明】
【００２９】
１        組立て式簡易トイレ
１１      便座
１１１    貫通穴
１１２    位置決め部材
１２      脚部
１２１    第一脚部材
１２１ａ  第一脚部材の縦パイプ
１２１ｂ  第一脚部材の上部横パイプ
１２１ｃ  第一脚部材の下部横パイプ
１２２    第二脚部材
１２２ａ  第二脚部材の縦パイプ
１２２ｂ  第二脚部材の上部横パイプ
１２２ｃ  第二脚部材の下部横パイプ
１２３    排泄物収納袋保持部材
１２４    脚部ストッパー
１２５    回動軸
１３      排泄物収納袋
１４      便吸収材
【図１】
0003155979.tif 000003
【図２】
0003155979.tif 000004
【図３】
0003155979.tif 000005
【図４】
0003155979.tif 000006
【図５】
0003155979.tif 000007
【図６】
0003155979.tif 000008
【図７】
0003155979.tif 000009